(57)【要約】【課題】簡易な構成で表裏の識別が正確かつ容易であり、チップ作製時に流路破損のおそれがなく表裏を短時間で判別可能である、試料用チップに用いる流路構成部材及び流路形成チップを提供する。【解決手段】この試料用流路構成部材３は、略矩形状で板状であり、試料を流動させるための流路５と、流路構成部材３の表裏を識別するための表裏識別手段７と、を備える。【選択図】図１
2008224651.tif 000002
【特許請求の範囲】
【請求項１】
試料を流動させるための流路を有し略矩形状で板状の試料用流路構成部材であって、
前記流路構成部材の表裏を識別するための表裏識別手段を備える試料用流路構成部材。
【請求項２】
前記表裏識別手段が、前記流路構成部材を貫通する孔及び／又は前記流路構成部材の角部を欠いた切欠部から構成される請求項１に記載の試料用流路構成部材。
【請求項３】
前記表裏識別手段が前記流路構成部材に奇数個配置されている請求項１又は２に記載の試料用流路構成部材。
【請求項４】
前記流路構成部材は透明または半透明な材料から構成される請求項１乃至３のいずれか１項に記載の試料用流路構成部材。
【請求項５】
前記流路構成部材はポリジメチルシロキサン（ＰＤＭＳ）から構成される請求項１乃至４のいずれか１項に記載の試料用流路構成部材。
【請求項６】
請求項１乃至５のいずれか１項に記載の試料用流路構成部材と、前記流路構成部材が前記流路を覆うように装着される基板と、を備える流路形成チップ。
【請求項７】
前記試料を流動させるために遠心装置に取り付けられて使用される請求項６に記載の流路形成チップ。
【請求項８】
前記遠心装置は、試料を収容した前記流路形成チップを取り付けて所定の回転軸を中心に回転する回転盤と、前記流路形成チップ内における試料の状態を目視により観察するための顕微鏡と、を具備し、前記流路形成チップ内の試料または試料中の物質に対して遠心力を作用させることで前記試料から所定の物質を分離または合成させる可視下遠心装置である請求項７に記載の流路形成チップ。
【発明の詳細な説明】
【技術分野】
【０００１】
本発明は、試料を流動させるための流路を表面に備え、基板に装着されて試料用のチップとして利用される試料用流路構成部材及び流路形成チップに関する。
【背景技術】
【０００２】
近年、ＤＮＡ、ＲＮＡ、細胞といった種々の生体試料、化学合成材料等の試料に対する生化学的な分析操作では、流路形成チップが広く利用されている。この流路形成チップは、ポリマーからなる薄板状部材であって、半導体集積回路に用いられる微細加工技術等を利用して、その部材表面に微細な流路が形成された流路構成部材と、流路構成部材の流路が設けられている面に貼り付けられるガラス、ポリマー等からなる基板と、から構成される。
【０００３】
そして、流路形成チップの流路の両端に高電圧を印加することで形成される電気浸透流等を利用して、生体試料等の測定対象物を流路内で移動させ、生体試料の測定、分離等が行われる。
【０００４】
流路形成チップの一例として、特許文献１や特許文献２に記載のマイクロ流体チップは、矩形状のポリジメチルシロキサン（ＰＤＭＳ）からなる流路構成部材であって、片面に流路が形成された凹部を有する流路構成部材と、流路構成部材の流路が形成された流路形成面側に貼り付けられる薄板状のガラス基板と、から構成される。ＰＤＭＳは、（一）自己吸着性を有し、接着材を使うこと無しにＰＤＭＳをガラス基板に貼り付けることができる、（二）生体適合性が良く生体試料等に悪影響を及ぼさない、（三）透明なので外部から流路内部の観察が容易である、という優位性を有する。このため、広く流路形成チップに利用されている。
【特許文献１】特開２００５−２４９５４０号公報
【特許文献２】特開２００６−５３０６４号公報
【発明の開示】
【発明が解決しようとする課題】
【０００５】
ところが、ＰＤＭＳ等のポリマからなる流路構成部材をガラス基板に貼り付ける際に、ポリマは透明もしく半透明であること、流路が非常に微細であること等の理由により、流路構成部材の表裏を肉眼で視認することは非常に困難であった。このため、従来、流路構成部材の表裏は、顕微鏡を用いて流路を視認し識別するか、もしくは表面を触ることや、模擬試薬を流す等により識別されていた。
【０００６】
一方、試料用流路形成チップを作製するにあたり、流路構成部材をガラス基板に実装するために要する時間は、試料用流路形成チップの製造工程を高速化する観点、そして流路構成部材を解析処理の際に取り外し再度装着する作業を高速化する観点から短縮化が求められている。
【０００７】
しかし、流路構成部材をガラス基板に対して装着する際に、顕微鏡を用いることは手間と時間がかかり上記短縮化に反し、また、流路構成部材の表裏を手で触り識別することは、パターニングされた流路が数μ単位の寸法であるので、識別が非常に困難であるのみならず、流路を破損するおそれがある。さらに、模擬試薬を流して表裏を識別する方法では、流路構成部材を使用する前に種々の前処理を施す必要がある。従って、基板の表裏を判別する度に前処理工程及び模擬試薬を流すといった工程が必要となり、識別に要する時間の短縮化が困難であった。
【０００８】
そこで、本発明は、簡易な構成で表裏の識別が正確かつ容易であり、チップ作製時に流路破損のおそれがなく表裏を短時間で判別可能である、試料用チップに用いる流路構成部材及び流路形成チップを提供することを目的とする。
【課題を解決するための手段】
【０００９】
上記課題を解決するための本発明の試料用流路構成部材の第１の態様は、試料を流動させるための流路を有し略矩形状で板状の試料用流路構成部材であって、前記流路構成部材の表裏を識別するための表裏識別手段を備える。
【００１０】
また、本発明の試料用流路構成部材の第２の態様によれば、前記表裏識別手段が、前記流路構成部材を貫通する孔及び／又は前記流路構成部材の角部を欠いた切欠部から構成される。
【００１１】
さらに、本発明の試料用流路構成部材の第３の態様によれば、前記表裏識別手段が前記流路構成部材に奇数個配置されている。本発明の試料用流路構成部材の第４の態様によれば、前記流路構成部材は、透明若しくは半透明な材料から構成される。本発明の試料用流路構成部材の第５の態様によれば、前記流路構成部材は、ポリジメチルシロキサン（ＰＤＭＳ）である。
【００１２】
本発明の流路形成チップの第１の態様によれば、上記試料用流路構成部材の第１乃至第５の態様の試料用流路構成部材と、前記流路構成部材が前記流路を覆うように装着される基板と、を備える。同じく、第２の態様によれば、前記試料を流動させるために遠心装置に取り付けられて使用される。同じく、第３の態様によれば、前記遠心装置は、試料を収容した前記流路形成チップを取り付けて所定の回転軸を中心に回転する回転盤と、前記流路形成チップ内における試料の状態を目視により観察するための顕微鏡と、を具備し、前記流路形成チップ内の試料または試料中の物質に対して遠心力を作用させることで前記試料から所定の物質を分離または合成させる可視下遠心装置である。
【発明の効果】
【００１３】
本発明によれば、流路構成部材に表裏識別手段を設けることにより、簡易な構成で表裏の識別が正確かつ容易となり、流路形成チップ作製時に流路破損のおそれがなく、短時間で表裏を判別することができる。
【００１４】
また、表裏識別手段が流路構成部材に奇数個配置されることで、流路構成部材の表裏及び平面上の上下・左右を識別できる。
【００１５】
また、上記流路構成部材が基板に流路を覆うように装着されてなる流路形成チップにおいて上記表裏識別手段が流路形成チップの表裏識別、さらにチップ平面上の上下・左右識別に利用可能である。
【００１６】
また、上述の流路形成チップを遠心装置に取り付けて回転させて遠心力を作用させることで流路形成チップにおいて試料溶液を流路内で流動させることができる。このため電気浸透流発生のための電界印加が不要となるので、電界印加による検出対象の物質への影響がない。
【発明を実施するための最良の形態】
【００１７】
以下、本発明による試料用流路構成部材及び試料用流路構成部材を流路形成チップに適用した実施形態について図面を参照しつつ説明する。各図面中、同一要素は同一符号で示してある。
【００１８】
（実施形態１）
実施形態１による流路形成チップ用の試料用流路構成部材について、図１（ａ）、（ｂ）を参照しつつ説明する。図１(ａ)は、実施形態１による流路構成部材の平面図であり、図１（ｂ）は側面図である。
【００１９】
本実施形態の流路構成部材３は、ポリジメチルシロキサン（ＰＤＭＳ）からなる略矩形状の薄板部材から構成され、図１（ａ）、（ｂ）の左右方向に延びる凹部に流路形成面３ａに溝状に形成された流路５を備える。
【００２０】
また、矩形状の流路構成部材３が有する４つの角部の内、図１（ａ）の左上部が略直線状に切り欠かれて斜面を有する切欠部７となっており、切欠部７が表裏識別手段を構成する。すなわち、切欠部７が、図１（ａ）のように左上に位置する場合には、流路５が設けられている流路形成面３ａが上を向いている（上面になっている）ことを示し、これにより流路構成部材３の表裏を簡単かつ確実に短時間で判定することができる。
【００２１】
流路構成部材３の流路５が設けられている流路形成面３ａをガラス基板（後述の図６の符号４１１に相当）に対面させ貼り付けることにより、試料用の流路形成チップが完成する。なお、流路構成部材３は、ＰＤＭＳから形成されているので、その自己吸着力によりガラス基板に接着材なしで貼り付けられて装着できる。
【００２２】
（実施形態２）
実施形態２による流路形成チップ用の試料用流路構成部材について、図２（ａ）、（ｂ）を参照しつつ説明する。図２(ａ)は、実施形態２による流路構成部材の平面図であり、図２（ｂ）は側面図である。
【００２３】
本実施形態の流路構成部材１０３は、実施形態１と同様に、ＰＤＭＳからなる略矩形状の薄板部材から構成され、図２（ａ）、（ｂ）の左右方向に延びる凹部に流路形成面１０３ａに溝状に形成された流路１０５を備える。実施形態１と異なるのは、図２（ａ）の右下部を除き３つの角部が切り欠かれてそれぞれ斜面を有する切欠部１０７ａ，１０７ｂ，１０７ｃとなっている。すなわち、切欠部１０７ａ〜１０７ｃが表裏識別手段を構成し、図２（ａ）のように、右上部、左上部、左下部に位置する場合には、流路１０５が設けられている流路形成面１０３ａが上を向いていることを示している。換言すると、流路構成部材１０３の右下に切欠部が存在しない場合には、流路形成面１０３ａが上を向いている（上面になっている）ことを示し、これにより流路構成部材１０３の表裏を簡単かつ確実に短時間で判定することができる。
【００２４】
流路構成部材１０３は、流路１０５が設けられている流路形成面１０３ａを下にしてガラス基板（後述の図６の符号４１１に相当）に貼り付けられて装着されることで試料用の流路形成チップが完成する。
【００２５】
（実施形態３）
実施形態３による流路形成チップ用の試料用流路構成部材について、図３（ａ）、（ｂ）を参照しつつ説明する。図３(ａ)は、実施形態３による流路構成部材の平面図であり、図３（ｂ）は側面図である。
【００２６】
本実施形態の流路構成部材２０３は、上述の実施形態と同様に、ＰＤＭＳからなる略矩形状の薄板部材から構成され、図３（ａ）、（ｂ）の左右方向に延びる凹部に流路形成面２０３ａに溝状に形成された流路２０５を備える。また、矩形状の流路構成部材２０３が有する４つの角部の内、図３（ａ）の左上部に厚さ方向に貫通する孔２０７が設けられ、孔２０７が表裏識別手段を構成する。すなわち、表裏識別手段２０７が、図３（ａ）のように左上の角部に位置する場合には、流路２０５が設けられている流路形成面２０３ａが上を向いている（上面になっている）ことを示し、これにより流路構成部材２０３の表裏を簡単かつ確実に短時間で判定することができる。
【００２７】
流路構成部材２０３は、流路２０５が設けられている面を下にしてガラス基板（後述の図６の符号４１１に相当）に貼り付けられて装着されることで、試料用の流路形成チップが完成する。
【００２８】
（実施形態４）
実施形態４による流路形成チップ用の試料用流路構成部材について、図４（ａ）、（ｂ）を参照しつつ説明する。図４(ａ)は、流路構成部材の平面図であり、図４（ｂ）は側面図である。
【００２９】
本実施形態の流路構成部材３０３は、上記実施形態３と同様に、ＰＤＭＳからなる略矩形状の薄板部材から構成され、図４（ａ）、（ｂ）の左右方向に延びる凹部に流路形成面３０３ａに溝状に形成された流路３０５を備える。実施形態３と異なるのは、図４（ａ）の右下角部を除き３つの角部に厚さ方向に貫通する貫通孔３０７ａ，３０８ｂ，３０７ｃが設けられている点である。すなわち、貫通孔３０７ａ〜３０７ｃが表裏識別手段を構成し、図４（ａ）のように、貫通孔３０７ａ〜３０７ｃが、右上角部、左上角部、左上角部の近傍位置にあるときには、流路３０５が設けられている流路形成面３０３ａが上を向いている（上面になっている）ことを示している。換言すると、右下角部に貫通孔が存在しない場合には、流路形成面３０３ａが上を向き上面になっていることを示し、これにより、流路構成部材３０３の表裏を簡単かつ確実に短時間で判定することができる。
【００３０】
流路構成部材３０３は、流路３０５が設けられている面を下にしてガラス基板（図６の符号４１１に相当）に貼り付けられて装着されることで、試料用の流路形成チップが完成する。
【００３１】
（実施形態５）
実施形態５は、図１（ａ）、（ｂ）と同様の試料用流路構成部材を用いて構成され、生体試料中の所定の検出物を捕集するために使用される生体試料用の流路形成チップである。図５は、実施形態５における流路構成部材４０３の平面図である。図６は、図５の流路構成部材を基板に貼り付けて構成された流路形成チップ１の断面図である。
【００３２】
図６の流路形成チップ１は、流路を構成する複数の凹溝４０２が凹溝形成面４０３ａに形成された流路構成部材４０３と、流路構成部材４０３が貼り付けられるガラス製の基板４１１と、を備え、凹溝４０２が形成された凹溝形成面４０３ａが基板４１１の上面４１１ａに貼り付けられることで構成される。なお、流路構成部材４０３は、ＰＤＭＳからなるので、その自己吸着性により、基板４１１に接着材なしで貼り付けることができる。
【００３３】
図５のように流路構成部材４０３は表裏識別手段として左上角部が切り欠かれた切欠部４０７を有し、切欠部４０７に対応する形状を有する鋳型を用意し、溶融したＰＤＭＳを注入して作製することができるが、略矩形状に形成されたＰＤＭＳ部材を型抜きした後に角部を切断等により切り欠いて切欠部４０７を形成することも可能である。なお、ガラス製の基板４１１の寸法は、例えば長さ２０ｍｍ、幅１０ｍｍ、厚さ１ｍｍであり、流路構成部材４０３もそれに対応してほぼ同じ平面寸法を有し、切欠部４０７は肉眼で識別できる程度の大きさである。
【００３４】
図５のように切欠部４０７が左上角部に位置するように流路構成部材４０３を置くと、凹溝形成面４０３ａが上方を向くので、流路構成部材４０３の表裏を簡単かつ確実に短時間で肉眼で識別することができる。そして、図６のように流路構成部材４０３を基板４１１に配置して装着することで、生体試料用の流路形成チップ１が完成する。
【００３５】
上述のように、流路構成部材４０３と基板４１１との配置工程において、流路構成部材４０３の表裏を簡単かつ確実に短時間で肉眼で識別することができるので、基板４１１の上面４１１ａと流路構成部材４０３の凹溝形成面４０３ａとが対面するように基板４１１と流路構成部材４０３とを相対的に配置することを確実に短時間で行うことができる。したがって、従来のように、流路構成部材をガラス基板に対して装着する際に、顕微鏡を用いて流路構成部材の表裏を識別したり、手で触り識別したり、前処理を施し模擬試薬を流して表裏を識別する必要はない。このため、手で触ることによる流路破損のおそれがなく、識別に要する時間を短縮化できるので、流路形成チップ１を歩留まりよく効率的に作製することができる。
【００３６】
さらに、図５のように切欠部４０７が左上角部に位置するように流路構成部材４０３を置くと、流路構成部材４０３の表裏のみならず、平面上の上下・左右をも識別できるので、流路構成部材４０３において後述の試料投入槽４３１と廃液槽４３２の位置も簡単かつ確実に判別可能となる。
【００３７】
図５の流路構成部材４０３の凹溝形成面４０３ａには、所定深さの複数の凹溝４０２が形成されている。各凹溝４０２は、生体試料投入槽４３１、廃液槽４３２、及び流路４０５から構成されている。各凹溝４０２は、図５において上下対称であり、一対の略三角形状の溝が流路４０５により連結された形状である。上側の略三角形状の部分が試料投入槽４３１となり、下側の略三角形状の部分が廃液槽４３２となり、試料投入槽４３１と廃液槽４３２との連結部が流路４０５となる。また、流路４０５の延在方向のほぼ中央部には、検出部４３４が形成されている。凹溝４０２は４つであり、それぞれ同一形状、同一寸法であるが、単数であってもよい。
【００３８】
試料投入槽４３１及び廃液槽４３２は、生体試料を投入又は回収するためのものであり、試料投入槽４３１及び廃液槽４３２それぞれには、厚さ方向に貫通する不図示の穴が設けられ生体試料を導入したり、廃液を回収したりできる構成である。
【００３９】
また、試料投入槽４３１から廃液層４３２まで生体試料を流動させるため、電気浸透流を利用することが可能である。例えば、不図示の膜状電極を試料投入槽４３１及び廃液槽４３２に延在させ、それぞれ外部の陽極または陰極に接続させ、陽極電極に電圧を印加すると、電気浸透流が発生し、流路４０５内を、生体試料が試料投入槽４３１から廃液槽４３２、もしくは廃液槽４３２から試料投入槽４３１へと生体試料を流動させる構成とすることができる。
【００４０】
各流路４０５のほぼ中央部には、検出部４３４及び検出媒体である球状シリカビーズ４３５が配置されている。流路４０５の流路幅及び流路深さは、生体試料に含まれる検出対象物質及びシリカビーズ４３５が通過できるようにシリカビーズの直径よりも大きく設定され、検出部４３４は流路４０５の途中に設けられたくびれ部分を有し、検出部４３４における流路幅及び流路深さはシリカビーズ４３５の直径よりも小さく設定されている。よって、シリカビーズ４３５は検出部４３４に引っ掛かる構成である。なお、流路４０５の、検出部４３４を除いた部分においても、シリカビーズが２個同時に通過できないように設定されている。
【００４１】
シリカビーズ４３５は、例えばＳｉＯ2（シリカ）を主成分とする材料からなり、その表面に無数の細孔が設けられた球形状である。このシリカビーズ４３５の細孔に目的とする分子を吸着する。さらに、検出対象物を特定するために、タンパク分子等に反応する酵素等をプローブとして細孔に装着してもよい。
【００４２】
上記構成の流路形成チップ１の動作は以下のようになされる。例えばＤＮＡ断片を試料投入槽４３１に投入し、不図示の膜状電極の試料投入槽４３１側を陽極、廃液槽４３２側を陰極とし電圧を印加すると、試料投入槽４３１側から廃液槽４３２側への電気浸透流が形成されるためＤＮＡ断片が試料投入槽４３１から廃液槽４３２方向へ移動する。ＤＮＡ断片は検出部４３４を通過する際に所定のＤＮＡがシリカビーズ４３５に吸着される。
【００４３】
なお、電気浸透流の流れ方向を廃液槽４３２側から試料投入槽４３１側へとしてもよいことは言うまでもない。但し、その場合には、シリカビーズを検出部において廃液槽側で引っ掛かるように配置することが必要である。
【００４４】
また、上記流路形成チップにおいて、電気浸透流を用いて生体試料を流路で移動させる構成としたが、流路の両端に電圧をかけて、負電荷を帯びている生体試料を移動させる構成であってもよい。また、流路構成部材４０３は透明なＰＤＭＳからなるので、光学的解析を行うことができ、流路形成チップ１の外部から試料を観察したり、蛍光強度を測定できる。
【００４５】
上述の各実施形態において、流路構成部材の表裏識別手段は、流路構成部材を貫通する円形状の孔または角部を斜辺に直線状に沿って切り欠いた切欠部としたが、本発明は、これらの形状に限定されず、例えば、切欠部が丸みを帯びて曲線状に形成されてもよく、また、凹状に凹んだ形状に形成されてもよく、さらに、切欠部及び貫通孔を併用してもよい。また、切欠部や貫通孔等の表裏識別手段は、流路構成部材が平面矩形状の場合、１個または３個設けることが好ましく、流路構成部材の表裏のみならず、平面上の上下・左右も識別可能となる。
【００４６】
（実施形態６）
実施形態６は、遠心力を用いて流路形成チップの流路で試料溶液を流し、その試料溶液で分離や合成を行う場合にその反応過程をモニタで観察可能にしたものである。
【００４７】
図７は実施形態６に係る可視下遠心装置の全体構成例を示す斜視図である。図８は図７の固定部品の内部の構成を説明するための部分構成図である。図９は図７の可視下遠心装置の全体構成例を上から見た上面図である。図１０は図７の回転盤に対してスピンドルユニットを装着させた状態の可視下遠心装置の縦断面図である。図１１はスピンドルユニットとしてエアスピンドルユニット６２８を装着させた状態の可視下遠心装置の全体斜視図である。
【００４８】
以下、実施形態６に係る可視下遠心装置について、添付図面を参照して説明する。図７〜図１１には、本実施形態に係る可視下遠心装置(以下、単に「装置」ともいう)ＡＰが示されており、装置ＡＰには、所定の回転軸６０２を中心に回転する回転盤６０４と、回転盤６０４に配設され、サンプル（試料溶液）を収容して回転盤６０４とともに回転する反応用の流路形成チップ（以下、単に「チップ」とも言う。）１と、チップ１内におけるサンプルの状態を目視により観察するための顕微鏡６０８とが備えられている。そして、装置ＡＰは、チップ１内のサンプルに対して遠心力を作用させることで、サンプルから所定の物質(液体、固体および気体、若しくはこれらの混合体など)を分離、あるいは合成させている。
【００４９】
なお、装置ＡＰの大きさや形状、具体的には、回転盤６０４の大きさや形状は、遠心分離あるいは遠心合成させるサンプルの性質や数などに応じて任意に設定すればよいが、本実施形態においては、回転盤６０４が直径２２０ｍｍの円盤として構成されている場合を、一例として想定する。
【００５０】
また、チップ１は、その内部に所定のサンプルを収容し、サンプルを遠心分離反応あるいは遠心合成反応させることが可能であり、図５，図６と同様に構成され、平面に沿って流路４０５が形成されている。チップ１は、内部にサンプルを収容した状態で、回転盤６０４に対して固定され、回転盤６０４とともに回転することで、遠心力により流路４０５（図５，図６）でサンプル（試料溶液）が流動可能である。
【００５１】
また、チップ１は、試料溶液流動のために電極と遠心力を併用するようにしてもよく、また、個々のサンプルの特性に応じて電極と遠心力のいずれかを選択するようにしてもよい。さらに、試料溶液流動のための電極を省略してもよい。また、図５，図６の流路４０５は複数であるが、単数でもよい。
【００５２】
装置ＡＰにおいて、顕微鏡６０８は、チップ１内におけるサンプルの状態を観察可能となるように回転盤６０４の所定位置へ固定されており、回転盤６０４には、顕微鏡６０８で捉えたチップ１内のサンプル状態の顕微鏡画像を撮影するための撮像デバイス６１０と、撮像デバイス６１０で撮影された顕微鏡画像の撮影像を、リアルタイムで動画として無線により伝送するための映像無線伝送デバイス６１２が取り付けられている。なお、本実施形態において、顕微鏡６０８は、一例として、チップ１内におけるサンプルの状態を捉える対物レンズ６０８ａと、対物レンズ６０８ａが捉えた顕微鏡画像を撮像デバイス６１０まで伝達するための光路が内部に形成された鏡筒６０８ｂとを備えて構成されている。また、撮像デバイス６１０には、顕微鏡６０８で捉えたチップ１内のサンプル状態の顕微鏡画像を撮影することが可能な各種の撮像装置を適用することができるが、本実施形態においては、撮像デバイス６１０としてＣＣＤカメラを適用した場合を一例として想定する。
【００５３】
この場合、顕微鏡６０８は、鏡筒６０８ｂ内において、顕微鏡６０８の光路が回転盤６０４の盤面(図１０の上側の面)６０４ａに対して所定の角度で部分的に屈折されており、撮像デバイス(以下、ＣＣＤカメラという)１０は、前記所定角度で屈折された顕微鏡６０８の光路上で、上述した顕微鏡画像を撮影可能となるように、回転盤６０４の回転中心の近傍に位置付けられている。なお、以下の説明においては、上述した顕微鏡６０８の光路を観察光路と呼び、観察光路を進む光を観察光と呼ぶ。
【００５４】
本実施形態においては、一例として、図１０に示すように、顕微鏡６０８の鏡筒６０８ｂ内へミラー６１４を観察光路の屈折角に応じて任意に設定される所定角度だけ観察光路に対して傾斜して配設している。なお、図１０に示す構成において、装置ＡＰは、顕微鏡６０８の対物レンズ６０８ａがチップ１内のサンプル状態を垂直方向(同図の上下方向)の上方から捉えるとともに、回転盤６０４の回転中心の近傍で回転盤６０４の盤面６０４ａに対して平行する方向(水平方向)から対物レンズ６０８ａが捉えた顕微鏡画像をＣＣＤカメラ６１０で撮影する構造を成している。このため、ミラー６１４を観察光の進入方向に対して約１３５°の角度で後傾させて顕微鏡６０８の鏡筒６０８ｂ内に配設することで、進入した観察光を約９０°だけ屈折させ、回転盤６０４の盤面６０４ａに対して平行となるようにさらに進行させている。なお、顕微鏡６０８は、その鏡筒６０８ｂを略直角に屈折させることで、鏡筒６０８ｂ内に略直角に屈折した観察光路を形成した構成とすればよい。
【００５５】
この場合、顕微鏡６０８を回転盤６０４の周縁部へ位置付けることで、垂直方向から進入した観察光がミラー６１４によって回転盤６０４の周方向から中心方向へ向けて回転盤６０４の盤面６０４ａと平行して屈折するように、その進行方向を変化させる構成とすることができる。この結果、顕微鏡６０８は、その観察光(すなわち、顕微鏡画像)が回転盤６０４の中心部、すなわち回転盤６０４の回転中心の方向へ向けて到達(収束)される構造となり、ＣＣＤカメラ６１０を観察光路の到達(収束)先へ位置付けることで、ＣＣＤカメラ６１０が回転盤６０４の回転中心の近傍で顕微鏡の観察光を捉えること、具体的には、顕微鏡画像を撮影することが可能な構成とすることができる。
【００５６】
このため、ＣＣＤカメラ６１０を回転盤６０４の回転中心の近傍に位置付けることができ、回転盤６０４が回転することによって遠心力が生じた場合であっても、ＣＣＤカメラ６１０に対して作用する遠心力を軽減させることができ、遠心力によってＣＣＤカメラ６１０の性能が阻害されることや撮影時の顕微鏡画像がブレることがなく、ＣＣＤカメラ６１０において常に安定した顕微鏡画像の撮影を行うことが可能となる。
【００５７】
また、上述したように顕微鏡６０８を観察光路がミラー６１４によって屈折される構造とすることで、顕微鏡６０８の鏡筒６０８ｂの高さ(図１０の上下方向の距離)を抑えることができる。これにより、回転盤６０４が回転することで回転振動が発生した場合であっても、回転振動に対する顕微鏡６０８の剛性を高めることができ、顕微鏡６０８において常に安定したチップ１内におけるサンプル状態の観察を行うことが可能となる。ただし、鏡筒６０８ｂの高さを抑えるためには、顕微鏡６０８を観察光路の屈折角度が０°より大きく９０°以下となる構造とすることが好ましい。
【００５８】
なお、顕微鏡６０８は、その鏡筒６０８ｂがチップ１に対して垂直方向(鉛直方向(図１０の上下方向))へ上下動可能な構造を成しており、このような構造を成すことにより、チップ１(具体的には、サンプル)と対物レンズ６０８ａとの間の距離(焦点距離)を調整することができるようになっている。この場合、回転盤６０４には、その盤面６０４ａに対して垂直方向へ所定の長さで延出したガイド(以下、Ｚ軸ガイドという)６２０が設けられており、鏡筒６０８ｂをＺ軸ガイド６２０に沿ってスライドさせることで、顕微鏡６０８は、サンプルと対物レンズ６０８ａとの焦点距離を調整する構造となっている。
【００５９】
また、本実施形態においては、顕微鏡６０８の対物レンズ６０８ａとチップ１とを同一部品(以下、固定部品という)６１６の内部に収容するとともに、収容された対物レンズ６０８ａおよびチップ１を固定部品６１６と一体的に回転盤６０４へ固定することで、対物レンズ６０８ａとチップ１との間の外部振動(具体的には、回転盤６０４の回転によって生ずる回転振動)による相対変位を極小化させている。これにより、顕微鏡６０８は、常に安定してチップ１内のサンプル状態をブレのないクリアな画像として捉えることができ、分離過程あるいは合成過程におけるサンプルの状態を正確且つ確実に観察することが可能となる。
【００６０】
この場合、固定部品６１６の内部には、図８に示すように、所定の照明装置(例えば、エッジ式のＬＥＤ(Light Emitting Diode)バックライト)６２２が設けられており、サンプルを顕微鏡６０８の対物レンズ６０８ａとは反対側から照明装置６２２で照らして透過させた状態で観察できるようにしている。これにより、チップ１内におけるサンプルの状態をより鮮明に観察することができ、対物レンズ６０８ａによってサンプル状態を、よりクリアな顕微鏡画像として捉えることができる。なお、照明装置(エッジ式のＬＥＤバックライト)２２の光源であるＬＥＤ２２ａは、上述したＣＣＤカメラ６１０と同様に、回転盤６０４の回転によって生じる遠心力の作用を軽減させるため、回転盤６０４の回転中心の近傍に位置付けられている。
【００６１】
ここで、照明装置６２２は、サンプルを照らして透過させた状態で観察することが可能であれば、その具体的な構成は特に限定されない。例えば、サンプルの性質や種類などに応じて、任意の照明装置を選択すればよく、一例として、本実施形態においては、株式会社モリテックス製のＬＥＤ照明(エッジ式バックライト)ＭＥＢＬ−ＣＷ２５を用いている。ただし、例えば、かかる照明装置６２２と同等、若しくはそれ以上の性能を有する照明装置であってもよい。
【００６２】
また、固定部品６１６は、顕微鏡６０８の対物レンズ６０８ａとサンプルとの焦点距離を調整し、適正距離に設定された状態で、対物レンズ６０８ａとサンプルとの相対位置、具体的には、対物レンズ６０８ａのサンプルに対する高さを固定している。これにより、分離反応中あるいは合成反応中、サンプルに対する顕微鏡６０８の対物レンズ６０８ａの高さを一定に維持することができ、サンプルの状態を安定して観察することが可能となる。
【００６３】
また、本実施形態においては、回転盤６０４に対し、上述した顕微鏡画像を動画として撮影するＣＣＤカメラ６１０とともに、ＣＣＤカメラ６１０で撮影された顕微鏡画像のカメラ映像(撮影像)をリアルタイムで動画として無線伝送するための映像無線伝送デバイス６１２が取り付けられている。このように、ＣＣＤカメラ６１０で撮影された映像を外部受信機(図示しない)に対して伝送する方式として、有線方式ではなく無線方式を採用することで、回転盤６０４とともにＣＣＤカメラ６１０ならびに映像無線伝送デバイス６１２を回転させた場合であっても、これらから直接信号線を取り出す必要がなく、信号線の取り回しを考慮する必要が全くない。この結果、ＣＣＤカメラ６１０および映像無線伝送デバイス６１２の周辺構造を容易に簡略化させることができる。
【００６４】
また、信号線の取り回しを考慮する必要がないため、ＣＣＤカメラ６１０ならびに映像無線伝送デバイス６１２を回転盤６０４(具体的には、顕微鏡６０８およびチップ１内のサンプル)とともに回転させる構造とすることができ、回転盤６０４の回転数による制約を受けることなく、任意の高フレームレート(コマ数)でＣＣＤカメラ６１０によって顕微鏡画像を撮影することができ、撮影した顕微鏡画像のカメラ映像を外部の受信装置(図示しない)に対して伝送することができる。これにより、かかる外部受信装置として、例えば、液晶パネルやＣＲＴ(Cathode Ray Tube)ディスプレイなどの表示器を設けることで、上述したカメラ映像(すなわち、チップ１の内部におけるサンプルの状態)を、かかる表示器においてリアルタイムに確認しながらサンプルの分離反応あるいは合成反応を進行させることができる。また、パソコンなどを介して収録したカメラ映像を解析することにより、サンプル(具体的には、その内部物質や、分離物質あるいは合成物質など)の挙動をモニタし、回転盤６０４の最適な回転条件(別の捉え方をすれば、サンプルに作用させる遠心力の最適な大きさ)を推定するとともに、推定された最適条件(例えば、回転速度や回転時間など)で回転盤６０４を回転制御することも可能となる。
【００６５】
この場合、映像無線伝送デバイス６１２は、上述したＣＣＤカメラ６１０と同様に、回転盤６０４の回転によって生じる遠心力の作用を軽減させるため、回転盤６０４の回転中心の近傍に位置付けられており、ＣＣＤカメラ６１０によって撮影されたカメラ映像の映像データを所定のアンテナ６１８から外部受信装置(受信機に接続された液晶パネルやＣＲＴディスプレイなどの表示器)に対して無線伝送している。また同様に、アンテナ６１８も回転盤６０４の回転によって生じる遠心力の作用を軽減させるため、回転盤６０４の回転中心の近傍、具体的には、回転盤６０４の回転中心の延長線上に立ち上がる構成としている。
【００６６】
なお、映像無線伝送デバイス６１２がカメラ映像の映像データ(映像信号)を外部受信装置(図示しない)へ無線伝送する際、映像データの伝送速度(ビットレート)やデータ形式(周波数や圧縮・非圧縮の有無など)は、装置ＡＰの使用態様や使用条件などに応じて任意に設定すればよい。例えば、本実施形態においては、一例として、ＣＣＤカメラ６１０が撮影した顕微鏡画像のカメラ映像を、映像無線伝送デバイス６１２によって周波数が２．４ＧＨｚの非圧縮デジタル信号の映像データに変換し、映像データを外部受信装置に対して無線伝送している。これにより、映像無線伝送デバイスから送信された映像信号を欠落させることなく、外部受信装置に対して送信することができ、外部受信装置においてサンプル状態をクリアで安定した映像で確認しながら、分離反応あるいは合成反応を進行させることができる。ただし、映像無線伝送デバイス６１２から外部受信装置へ伝送する映像データは、上述した非圧縮のデジタル信号に代えて、圧縮信号であってもよいし、アナログ信号としてあってもよい。
【００６７】
ここで、ＣＣＤカメラ６１０は、顕微鏡６０８で捉えたチップ１内におけるサンプル状態の顕微鏡画像を撮影することが可能であれば、その具体的な構成は特に限定されない。例えば、装置ＡＰの使用態様や使用条件などに応じて、任意のＣＣＤカメラを選択すればよく、一例として、本実施形態においては、株式会社モスウェル製のカラーボードカメラＭＳＣ−９０を用いている。ただし、例えば、かかるＣＣＤカメラ６１０と同等、若しくはそれ以上の性能を有するＣＣＤカメラであってもよい。
【００６８】
また、映像無線伝送デバイス６１２は、ＣＣＤカメラ６１０が撮影した顕微鏡画像のカメラ映像を外部受信装置(図示しない)に対して無線伝送することが可能であれば、その具体的な構成は特に限定されない。例えば、装置ＡＰの使用態様や使用条件などに応じて、任意の映像無線伝送デバイスを選択すればよく、一例として、本実施形態においては、株式会社アイデンビデオトロニクス製のＴＲＸ２４ｍｉｎｉを用いている。ただし、例えば、かかる映像無線伝送デバイス６１２と同等、若しくはそれ以上の性能を有する映像無線伝送デバイスであってもよい。
【００６９】
なお、上述したＣＣＤカメラ６１０、映像無線伝送デバイス６１２、ならびに照明装置６２２など、装置ＡＰに設けられた各種の電装部品は、図７および図９に示すように、所定の電源装置(例えば、バッテリー)６２４によって駆動されている。この場合、電源装置６２４は、かかる各種の電装部品(ＣＣＤカメラ６１０、映像無線伝送デバイス６１２、ならびに照明装置６２２など)を正常に動作させることが可能な電力を、サンプルに対する分離反応中あるいは合成反応中、安定して供給可能であれば、その具体的な構成は特に限定されない。例えば、上述した各種の電装部品が要する電力の大きさなどに応じて、任意の電源装置を選択すればよく、一例として、本実施形態においては、ＵＬＴＲＡ ＬＩＦＥ株式会社製のバッテリーであるＵＢＢＰ０１(電圧３．７ｖ、バッテリー容量１．８Ａｈ)を用いている。ただし、例えば、かかる電源装置６２４と同等、若しくはそれ以上の性能を有する電源装置であってもよい。
【００７０】
本実施形態においては、かかる電源装置(バッテリー)６２４を４個直列で使用し、これら４つのバッテリー６２４を、回転盤６０４の回転中心に対して対称となる位置へ(１８０°の位相差で)２つずつ均等に配置しているとともに、顕微鏡６０８、チップ１および固定部品６１６に対して９０°の位相差で配置している(図９参照)。この場合、バッテリー６２４は、一例として、回転盤６０４の盤面６０４ａを凹状に窪ませて成る取付部へ埋設され、板状部材６２６で固定されて回転盤６０４に対して取り付けられている。
【００７１】
ここで、かかる装置ＡＰにおいて、回転盤６０４の回転軸６０２は、図示しない所定の駆動装置(例えば、スピンドルモータなど)によって回転されているとともに、各種の軸受６２７によって回転自在に支持されており、図１０には、一例として、転動体として玉を適用した転がり軸受６２７によって回転軸６０２を支持した構成が示されている。この場合、転がり軸受６２７は、転動体として玉を適用した各種の玉軸受の他、転動体として各種のころ(円筒ころ、円すいころおよび球面ころなど)を適用したころ軸受であってもよい。また、図１０に示す構成においては、回転軸６０２を２つの軸受６２７で支持する構造としているが、回転軸６０２は、１つの軸受６２７で支持してもよいし、３つ以上の軸受６２７で支持してもよい。
【００７２】
なお、軸受６２７として、上述した各種の転がり軸受に代えてエア軸受を適用し、回転軸６０２をエア軸受によって回転自在に支持することで、回転盤６０４が回転する際に生ずる回転振動を格段に軽減させることができ、ひいては、顕微鏡６０８やＣＣＤカメラ６１０の回転振動を抑制させ、分離反応中あるいは合成反応中におけるサンプル状態の安定した観察ならびに撮影を行うことが可能となり、さらに好ましい。ここで、一例として、エア軸受は、回転軸６０２の外周面を全周に亘って覆うように位置付けられた筒状のハウジングによって回転軸６０２を回転自在に支持する構造を成し、ハウジングの内周面(回転軸６０２の外周面に対する対向面)に設けた複数の噴出口(噴出孔)から回転軸６０２の外周面へ向けてエアを吹き付け、ハウジングの内周面と回転軸６０２の外周面とを非接触状態に保つことで、回転軸６０２を非常に滑らかに回転させることができる。
【００７３】
また、本実施形態において、回転軸６０２および回転軸６０２を回転自在に支持する軸受６２７は、これらがハウジングとともに一体を成すスピンドルユニット６２８として構成されており、スピンドルユニット６２８が回転盤６０４に装着されることで、回転盤６０４が回転軸６０２を中心として回転される構造となっている。この場合、回転盤６０４には、その中央部が上側(顕微鏡６０８、チップ１、ＣＣＤカメラ６１０、および映像無線伝送デバイス６１２などが配設されている側)へ所定の大きさで凸状に突出し、回転盤６０４の下側(上述した各部品などが配設されている側とは反対側)を凸状に窪ませて形成されたスピンドルユニット取付部６０４ｂが設けられており、スピンドルユニット６２８は、回転盤６０４の下側からスピンドルユニット取付部６０４ｂへ挿入されて、回転盤６０４に対して取り付けられている。
【００７４】
このように、装置ＡＰをスピンドルユニット６２８に対して回転盤６０４が被さるような構造とすることで、顕微鏡６０８、チップ１、ＣＣＤカメラ６１０、および映像無線伝送デバイス６１２などが配設された回転盤６０４の回転時における回転重心と、回転軸６０２が軸受６２７によって回転自在に支持された軸支部分との距離を狭めることができ、軸支部分に生じる回転モーメントを有効に軽減させることができる。
【００７５】
なお、上述した本実施形態において、装置ＡＰの構成部材の材料については特に言及しなかったが、装置ＡＰの使用態様や使用目的などに応じて各種の素材を任意に選択して使用すればよい。一例として、本実施形態においては、回転盤６０４の材料、ならびに顕微鏡６０８、チップ１、ＣＣＤカメラ６１０、および映像無線伝送デバイス６１２などを回転盤６０４に対して取り付けるための各種の取付部材を高強度Ａｌ合金(A2017)製とすることで、回転時における剛性を十分に確保しながら、これらの部材の軽量化を図っている。
【００７６】
また、本実施形態においては、回転時における装置ＡＰの重量バランスを均等にし、回転時に生じるスピンドルユニット６２８に対する振れ回り応力を減少させるため、回転盤６０４に対し、顕微鏡６０８およびチップ１の配設位置と回転中心に対して略対称となる位置(回転中心に対して反対側)へ所定のバランスウェイト６３０を設けている。バランスウェイト６３０の重量、および配設位置は、回転盤６０４に配設された顕微鏡６０８、チップ１、ＣＣＤカメラ６１０、および映像無線伝送デバイス６１２などの各種の部材重量やそのバランス(重心)などに応じて、上述したスピンドルユニット６２８に対する振れ回り応力が小さくなるように調整すればよい。
【００７７】
なお、装置ＡＰにおいて、より高精度にサンプルの分離反応あるいは合成反応を観察する場合、スピンドルユニット６２８として、回転軸６０２が上述したエア軸受によって回転自在に支持されたエアスピンドルユニットを回転盤６０４に対して装着する構成としてもよい。これにより、回転盤６０４が回転する際に生じる回転振動を格段に軽減させることができ、分離反応中あるいは合成反応中におけるサンプル状態をさらに安定した高画質のカメラ映像により観察することが可能となる。この場合、エアスピンドルユニットとしては、例えば、日本精工株式会社製のＧＢＳ１００Ｈなどを用いることができる。
【００７８】
次に、上述のようにチップ１を可視下遠心装置ＡＰに装着し回転させて発生する遠心力をサンプル（試料溶液）に作用させて流体を駆動し流動させることによる作用効果について説明する。
【００７９】
チップ１に外部機器との流体接続（流体駆動に例えばポンプを利用する場合）、及び、電気的接続（流体駆動に例えば電気浸透流などを利用する場合）が不要となり、チップ１の構造が簡素化できる。この効果として、チップ１の取り扱いが容易となり、自動化しやすく、解析速度も向上する。また、チップ１をさらに小型化することができ、より微小サンプルでの解析が可能となる。この場合は、細胞は電気的に破砕することができないので、力学的な衝突によって破砕させる。
【００８０】
また、周辺機器も小型化できるため、測定系全体を小型化できる。
【００８１】
また、サンプルの化学的な特性に影響されず、流体を駆動させることができる。特に、電界印加により電気分解し易い溶液を主体とするサンプルでも、駆動（解析）が可能である。また、電気的な刺激によって、変化する可能性のあるサンプルに対しても、これらの影響を気にせず利用でき、適用範囲が広がり好ましい。
【００８２】
また、サンプルの遠心分離効果を同時に発生させることができ、サンプルの比重による分離が可能である。
【００８３】
さらに、本実施形態の可視下遠心装置を利用することによって、低回転数（低遠心力）の領域での反応であっても、情報が欠落（コマ落ち）することなく、検出状態を把握することができる。
【００８４】
なお、流路形成チップ１が図５，図６と同様に構成されることで、図５の流路構成部材４０３に設けられた切欠部４０７により流路形成チップ１の表裏及び平面上の上下・左右が簡単かつ確実に識別できるので、流路形成チップ１を、切欠部４０７を基準にして回転盤６０４の所定位置に確実かつ簡単に取り付けることができる。これにより、遠心力が作用したとき、例えば、試料溶液が試料投入槽４３１から流路４０５を通って廃液槽４３２へ流動するように取り付けることができる。
【００８５】
次に、図７〜図１１の可視下遠心装置ＡＰにサンプルに対し上方から照明をあてる落射照明装置を付加した構成について図１２を参照して説明する。図１２は可視下遠心装置ＡＰに落射照明装置を付加した構成を示す図１０と同様の縦断面図である。
【００８６】
溶液中の細胞やガラスビーズなど、背景と光学的な透過率が同程度（透明）の物質を観察する場合、バックライトによる投下照明では、形状による陰影（コントラスト）が得難く、観察が困難である。この対策として、図１２のように、可視下遠心装置ＡＰに落射照明装置を設けた。
【００８７】
すなわち、対物レンズ６０８ａの上部のミラー６１４をハーフミラー６１４ａとし、ハーフミラー６１４ａの上方にＬＥＤ照明部６４０を設けることで同軸（落射）照明装置を構成した。ＬＥＤ照明部６４０からの照明光ｍがハーフミラー６１４ａを透過し対物レンズ６０８ａを通してチップ１内のサンプルを照射する。また、サンプルからの反射光ｎは対物レンズ６０８ａを通してハーフミラー６１４ａで反射しＣＣＤカメラ６１０へ到達する。
【００８８】
ＬＥＤ照明部６４０には、例えば、市販の高輝度緑色ＬＥＤ(OPTSOURCE社製 100047シリーズ、φ３ｍｍ、光度６８００mcd)を利用できるが、対象サンプルによって色調、輝度を選択することができる。また、遠心強度（回転数、時間）によってＬＥＤの破損が懸念される場合には、光源（ＬＥＤ）を回転中心付近に配置して光ファイバで顕微鏡に誘導することもできる。
【００８９】
図１２の落射照明装置を付加した構成によれば、チップ１内のサンプルからの反射光を観察することによって、光学的透過率が背景と周程度でもサンプル表面の反射による陰影（コントラスト）を得ることができるので、サンプルの挙動を明瞭に観察することができる。
【実施例】
【００９０】
次に、本発明を実施例により更に具体的に説明するが、本発明は本実施例に限定されるものではない。
【００９１】
本実施例は、上述の可視下遠心装置ＡＰをポリスチレンビーズのサイズ選別に利用したものである。すなわち、図１３のようなダンベル型流路（両端に円形の溶液槽を設け、溶液槽同士を直線流路で接続した形状の流路）を形成した流路形成チップを作製し、可視下遠心装置ＡＰに設置し、流路形成チップ内を溶液で満たした状態で反遠心側ヘサイズの異なるポリスチレンビーズ溶液を導入しビーズが遠心力によって流路内を通過する速度を測定した。
【００９２】
流路形成チップは、図１３のような微細流路パターンを形成したＰＤＭＳ樹脂をガラス基板上へ貼り付けた構造である。流路パターンは、直径３ｍｍの円形の溶液層を７００μｍ幅の直線流路で接続した形状で、深さ約１２０μｍである。溶液層の片側には溶液導入用の孔が空けてあり、ここからビーズ溶液を導入することができる。
【００９３】
溶液導入用の孔を反遠心側にして直線流路部分の観察領域がＣＣＤカメラで観察できるように可視下遠心装置ＡＰに取り付ける。このとき、流路内はテスト溶液（０．１Ｍマンニトール水溶液）で満たされている。溶液導入孔からポリスチレン溶液を導入し、可視下遠心装置ＡＰを駆動すると、遠心力によってポリスチレンビーズが直線流路を介して遠心側の溶液槽へ移動する。可視下遠心装置ＡＰでは、ポリスチレンビーズが直線流路内を移動する速度を任意の回転数（遠心力）で測定できるため、ポリスチレンビーズの移動速度ｖを正確に測定することができる。
【００９４】
直径１０μｍと直径４０μｍのポリスチレンビーズ（モリテックス社製  ４０００シリーズ）をサンプルとして、各遠心力下における移動（沈降）速度ｖの違いを測定した。その測定結果を図１４に示す。図１４から理解されるように、直径の大きいビーズの方が移動速度が大きく、各ビーズの挙動を観察しながらサイズ選別が可能なことが実証された。
【００９５】
以上のように、本発明を実施するための最良の形態及び実施例について説明したが、本発明はこれらに限定されるものではなく、本発明の技術的思想の範囲内で各種の変形が可能であり、かかる変形例も本発明の範囲内である。
【図面の簡単な説明】
【００９６】
【図１】実施形態１に係る流路構成部材の平面図（ａ）及びその側面図（ｂ）である。
【図２】実施形態２に係る流路構成部材の平面図（ａ）及びその側面図（ｂ）である。
【図３】実施形態３に係る流路構成部材の平面図（ａ）及びその側面図（ｂ）である。
【図４】実施形態４に係る流路構成部材の平面図（ａ）及びその側面図（ｂ）である。
【図５】実施形態５に係る流路構成部材の平面図である。
【図６】図５の流路構成部材を基板に貼り付けた状態を示す流路形成チップの断面図である。
【図７】実施形態６に係る可視下遠心装置の全体構成例を示す斜視図である。
【図８】図７の固定部品の内部の構成を説明するための部分構成図である。
【図９】図７の可視下遠心装置の全体構成例を上から見た上面図である。
【図１０】図７の回転盤に対してスピンドルユニットを装着させた状態の可視下遠心装置の縦断面図である。
【図１１】スピンドルユニットとしてエアスピンドルユニット６２８を装着させた状態の可視下遠心装置の全体斜視図である。
【図１２】可視下遠心装置ＡＰに落射照明装置を付加した構成を示す図１０と同様の縦断面図である。
【図１３】本実施例で使用した流路基板の流路パターンを概略的に示す平面図である。
【図１４】本実施例において直径の異なるポリスチレンビーズが直線流路内を移動するときの遠心加速度と移動速度の関係を示すグラフである。
【符号の説明】
【００９７】
３、１０３、２０３、３０３  流路構成部材
５、１０５、２０５、３０５  流路
７、１０７ａ，１０７ｂ，１０７ｃ，４０７  切欠部（表裏識別手段）
２０７，３０７ａ，３０７ｂ，３０７ｃ  貫通孔（表裏識別手段）
１  流路形成チップ
ＡＰ  可視下遠心装置
【図１】
2008224651.tif 000003
【図２】
2008224651.tif 000004
【図３】
2008224651.tif 000005
【図４】
2008224651.tif 000006
【図５】
2008224651.tif 000007
【図６】
2008224651.tif 000008
【図７】
2008224651.tif 000009
【図８】
2008224651.tif 000010
【図９】
2008224651.tif 000011
【図１０】
2008224651.tif 000012
【図１１】
2008224651.tif 000013
【図１２】
2008224651.tif 000014
【図１３】
2008224651.tif 000015
【図１４】
2008224651.tif 000016